(57)【要約】ワイヤレスネットワークにおける干渉を管理するための技術を記述する。基地局は、ユーザ機器（ＵＥ）から拡張パイロット測定報告を受け取り、受け取った報告に基づいて干渉管理決定を行う。基地局は、ＵＥから受け取った拡張パイロット測定報告に基づいて、ＵＥに対する担当基地局を選択する。基地局は、隣接基地局において低いターゲット干渉レベルを有するリソースを決定し、そのリソース上でのアップリンク送信に対してＵＥをスケジューリングをしないようにする。基地局はまた、隣接基地局のデータ性能に基づいて、隣接基地局に対するリソースを予約するか否か、基地局によって担当されているＵＥからの高干渉を隣接基地局が観測するか否か、または、基地局からの高干渉を隣接基地局によって担当されているＵＥが観測するか否かを決定し、これらは、拡張パイロット測定報告に基づいて決定される。【選択図】    図４
2011514718.tif 000002
【特許請求の範囲】
【請求項１】
ワイヤレス通信のための方法において、
第１の基地局において、複数のユーザ機器（ＵＥ）からの拡張パイロット測定報告を受け取ることと、
前記拡張パイロット測定報告に基づいて、干渉管理決定を行うこととを含み、
それぞれの拡張パイロット測定報告は、１組の基地局に対するパイロット測定値を含み、前記１組中の基地局に対する情報と、前記拡張パイロット測定報告を送るＵＥに対する情報とのうちの少なくとも１つをさらに含む方法。
【請求項２】
それぞれの拡張パイロット測定報告は、前記１組の基地局中のそれぞれの基地局の送信電力レベルと、それぞれの基地局に対するパス損失と、それぞれの基地局の負荷と、それぞれの基地局の達成されたデータ性能と、それぞれの基地局によって観測された干渉レベルと、それぞれの基地局に対するターゲット干渉レベルとのうちの少なくとも１つを含む請求項１記載の方法。
【請求項３】
それぞれの拡張パイロット測定報告は、前記拡張パイロット測定報告を送る前記ＵＥの達成されたデータ性能と、前記ＵＥのデータ要件と、前記ＵＥによって観測された干渉レベルと、前記ＵＥに対するターゲット干渉レベルとのうちの少なくとも１つとを含む請求項１記載の方法。
【請求項４】
前記干渉管理決定を行うことは、前記ＵＥから受け取った拡張パイロット測定報告に基づいて、ＵＥを担当する高電力の基地局または低電力の基地局を選択することを含む請求項１記載の方法。
【請求項５】
前記干渉管理決定を行うことは、
前記ＵＥから受け取った拡張パイロット測定報告中に含まれている、ＵＥから１組の基地局中のそれぞれの基地局へのパス損失を決定することと、
前記１組中のそれぞれの基地局に対するパス損失に基づいて、前記ＵＥを担当する前記１組中の１つの基地局を選択することとを含む請求項１記載の方法。
【請求項６】
前記ＵＥからそれぞれの基地局へのパス損失を決定することは、
前記拡張パイロット測定報告から前記基地局の送信電力レベルを得ることと、
前記拡張パイロット測定報告から、前記ＵＥにおける前記基地局の受信電力レベルを得ることと、
前記基地局の前記送信電力レベルと前記基地局の前記受信電力レベルとに基づいて、前記ＵＥから前記基地局へのパス損失を決定することとを含む請求項５記載の方法。
【請求項７】
前記干渉管理決定を行うことは、
前記拡張パイロット測定報告に基づいて、第２の基地局におけるアップリンク上で低いターゲット干渉レベルを有するリソースを決定することと、
前記リソース上でのアップリンク送信に対してＵＥをスケジューリングしないようにして、前記第２の基地局に対する干渉を減少させることとを含む請求項１記載の方法。
【請求項８】
前記干渉管理決定を行うことは、前記拡張パイロット測定報告に基づいて、第２の基地局に対するリソースを予約するか否かを決定することを含む請求項１記載の方法。
【請求項９】
前記予約されたリソースは、アップリンク上の少なくとも１つのインターレース、前記アップリンク上の少なくとも１つのサブバンド、ダウンリンク上の少なくとも１つのインターレース、前記ダウンリンク上の少なくとも１つのサブバンド、またはこれらを組み合わせたものを含む請求項８記載の方法。
【請求項１０】
前記第２の基地局に対する前記予約されたリソースを、前記第１の基地局の受信範囲内のＵＥにブロードキャストすることをさらに含む請求項８記載の方法。
【請求項１１】
前記干渉管理決定を行うことは、
前記拡張パイロット測定報告に基づいて、前記第１の基地局によって担当されているＵＥからの高干渉を第２の基地局が観測するか否かを決定することと、
前記第１の基地局によって担当されているＵＥからの高干渉を前記第２の基地局が観測した場合、前記第２の基地局に対するアップリンク上のリソースを予約することとを含む請求項１記載の方法。
【請求項１２】
前記干渉管理決定を行うことは、
前記拡張パイロット測定報告に基づいて、前記第１の基地局からの高干渉を第２の基地局によって担当されているＵＥが観測するか否かを決定することと、
前記第１の基地局からの高干渉を前記第２の基地局によって担当されているＵＥが観測した場合、前記第２の基地局に対するダウンリンク上のリソースを予約することとを含む請求項１記載の方法。
【請求項１３】
前記干渉管理決定を行うことは、
前記拡張パイロット測定報告に基づいて、第２の基地局のデータ性能を決定することと、
前記第２の基地局のデータ性能と第１の基地局のデータ性能とに基づいて、前記第２の基地局に対するリソースを予約するか否かを決定することとを含む請求項１記載の方法。
【請求項１４】
前記干渉管理決定を行うことは、前記拡張パイロット測定報告に基づいて、前記第１の基地局の送信電力レベルを決定することを含む請求項１記載の方法。
【請求項１５】
前記第１の基地局に対する情報を含むブロードキャスト送信を送ることをさらに含み、
前記第１の基地局に対する情報は、前記第１の基地局を検出するＵＥによって送られる拡張パイロット測定報告のために使用される請求項１記載の方法。
【請求項１６】
前記第１の基地局を検出するＵＥによる使用のために、前記第１の基地局から低再使用パイロットを送ることをさらに含む請求項１記載の方法。
【請求項１７】
ワイヤレス通信のための装置において、
第１の基地局において、複数のユーザ機器（ＵＥ）からの拡張パイロット測定報告を受け取り、前記拡張パイロット測定報告に基づいて、干渉管理決定を行うように構成されている少なくとも１つのプロセッサを具備し、
それぞれの拡張パイロット測定報告は、１組の基地局に対するパイロット測定値を含み、前記１組中の基地局に対する情報と、前記拡張パイロット測定報告を送るＵＥに対する情報とのうちの少なくとも１つをさらに含む装置。
【請求項１８】
前記少なくとも１つのプロセッサは、前記ＵＥから受け取った拡張パイロット測定報告中に含まれている、ＵＥから１組の基地局中のそれぞれの基地局へのパス損失を決定し、前記１組中のそれぞれの基地局に対するパス損失に基づいて、前記ＵＥを担当する前記１組中の１つの基地局を選択するように構成されている請求項１７記載の装置。
【請求項１９】
前記少なくとも１つのプロセッサは、前記拡張パイロット測定報告に基づいて、第２の基地局におけるアップリンク上で低いターゲット干渉レベルを有するリソースを決定し、前記リソース上でのアップリンク送信に対してＵＥをスケジューリングしないようにして、前記第２の基地局に対する干渉を減少させるように構成されている請求項１７記載の装置。
【請求項２０】
前記少なくとも１つのプロセッサは、前記拡張パイロット測定報告に基づいて、第２の基地局に対するリソースを予約するか否かを決定するように構成されている請求項１７記載の装置。
【請求項２１】
ワイヤレス通信のための装置において、
第１の基地局において、複数のユーザ機器（ＵＥ）からの拡張パイロット測定報告を受け取る手段と、
前記拡張パイロット測定報告に基づいて、干渉管理決定を行う手段とを具備し、
それぞれの拡張パイロット測定報告は、１組の基地局に対するパイロット測定値を含み、前記１組中の基地局に対する情報と、前記拡張パイロット測定報告を送るＵＥに対する情報とのうちの少なくとも１つをさらに含む装置。
【請求項２２】
前記干渉管理決定を行う手段は、
前記ＵＥから受け取った拡張パイロット測定報告中に含まれている、ＵＥから１組の基地局中のそれぞれの基地局へのパス損失を決定する手段と、
前記１組中のそれぞれの基地局に対するパス損失に基づいて、前記ＵＥを担当する前記１組中の１つの基地局を選択する手段とを備える請求項２１記載の装置。
【請求項２３】
前記干渉管理決定を行う手段は、
前記拡張パイロット測定報告に基づいて、第２の基地局におけるアップリンク上で低いターゲット干渉レベルを有するリソースを決定する手段と、
前記リソース上でのアップリンク送信に対してＵＥをスケジューリングしないようにして、前記第２の基地局に対する干渉を減少させる手段とを備える請求項２１記載の装置。
【請求項２４】
前記干渉管理決定を行う手段は、前記拡張パイロット測定報告に基づいて、第２の基地局に対するリソースを予約するか否かを決定する手段を備える請求項２１記載の装置。
【請求項２５】
コンピュータプログラムプロダクトにおいて、
基地局において、複数のユーザ機器（ＵＥ）からの拡張パイロット測定報告を少なくとも１つのコンピュータに受け取らせるためのコードと、
前記拡張パイロット測定報告に基づいて、干渉管理決定を前記少なくとも１つのコンピュータに行わせるためのコードとを含むコンピュータ読み取り可能媒体を含み、
それぞれの拡張パイロット測定報告は、１組の基地局に対するパイロット測定値を含み、前記１組中の基地局に対する情報と、前記拡張パイロット測定報告を送るＵＥに対する情報とのうちの少なくとも１つをさらに含むコンピュータプログラムプロダクト。
【請求項２６】
ワイヤレス通信のための方法において、
ユーザ機器（ＵＥ）によって検出された１組の基地局に対するパイロット測定値を含み、前記１組中の基地局に対する情報と、前記ＵＥに対する情報とのうちの少なくとも１つをさらに含む拡張パイロット測定報告を発生させることと、
干渉管理決定を行う前記少なくとも１つの基地局による使用のために、前記拡張パイロット測定報告を、前記１組中の少なくとも１つの基地局に送ることとを含む方法。
【請求項２７】
前記１組中の基地局からブロードキャスト送信を受け取ることと、
前記基地局に対する情報を前記ブロードキャスト送信から得ることとをさらに含む請求項２６記載の方法。
【請求項２８】
前記基地局によって送信された低再使用パイロットに基づいて、前記１組中の基地局を検出することをさらに含む請求項２６記載の方法。
【請求項２９】
前記拡張パイロット測定報告は、前記１組の基地局中のそれぞれの基地局の送信電力レベルと、それぞれの基地局に対するパス損失と、それぞれの基地局の負荷と、それぞれの基地局の達成されたデータ性能と、それぞれの基地局によって観測された干渉レベルと、それぞれの基地局に対するターゲット干渉レベルとのうちの少なくとも１つを含む請求項２６記載の方法。
【請求項３０】
前記拡張パイロット測定報告は、前記ＵＥの達成されたデータ性能と、前記ＵＥのデータ要件と、前記ＵＥによって観測された干渉レベルと、前記ＵＥに対するターゲット干渉レベルとのうちの少なくとも１つとを含む請求項２６記載の方法。
【請求項３１】
前記拡張パイロット測定報告に基づいて、前記ＵＥに対して選択された担当基地局と通信することをさらに含む請求項２６記載の方法。
【請求項３２】
前記担当基地局は、前記拡張パイロット測定報告中に含まれている情報に基づいて決定されたパス損失またはデータ性能に基づいて選択される請求項３１記載の方法。
【請求項３３】
前記少なくとも１つの基地局は、前記ＵＥに対する担当基地局と、ダウンリンク上でＵＥに対する高干渉を生じさせる基地局と、アップリンク上で前記ＵＥからの高干渉を観測する基地局とのうちの少なくとも１つを含む請求項２６記載の方法。
【請求項３４】
ワイヤレス通信のための装置において、
ユーザ機器（ＵＥ）によって検出された１組の基地局に対するパイロット測定値を含み、前記１組中の基地局に対する情報と、前記ＵＥに対する情報とのうちの少なくとも１つをさらに含む拡張パイロット測定報告を発生させ、干渉管理決定を行う前記少なくとも１つの基地局による使用のために、前記拡張パイロット測定報告を、前記１組中の少なくとも１つの基地局に送るように構成されている少なくとも１つのプロセッサを具備する装置。
【請求項３５】
前記少なくとも１つのプロセッサは、前記１組中の基地局からブロードキャスト送信を受け取り、前記基地局に対する情報を前記ブロードキャスト送信から得るように構成されている請求項３４記載の装置。
【請求項３６】
前記少なくとも１つのプロセッサは、前記拡張パイロット測定報告に基づいて、前記ＵＥに対して選択された担当基地局と通信するように構成されている請求項３４記載の装置。
【発明の詳細な説明】
【関連出願】
【０００１】
本出願は、「干渉回避」と題する２００８年２月１日に出願された米国仮出願シリアル番号第６１／０２５，６４４号に対して優先権を主張している。この出願は、本発明の譲受人に譲渡され、参照によりここに組み込まれている。
【背景】
【０００２】
Ｉ．分野
本開示は、一般的に、通信に関する。さらに詳細に述べると、ワイヤレス通信ネットワークにおける干渉を管理するための技術に関する。
【０００３】
ＩＩ．背景
音声、ビデオ、パケットデータ、メッセージング、ブロードキャスト等のような、さまざまな通信コンテンツを提供するために、ワイヤレス通信システムが広範囲に展開されている。これらのワイヤレスネットワークは、利用可能なネットワークリソースを共有することによって複数のユーザをサポートできる多元接続ネットワークであってもよい。このような多元接続ネットワークの例は、コード分割多元接続（ＣＤＭＡ）ネットワークや、時間分割多元接続（ＴＤＭＡ）ネットワークや、周波数分割多元接続（ＦＤＭＡ）ネットワークや、直交ＦＤＭＡ（ＯＦＤＭＡ）ネットワークや、単一搬送波ＦＤＭＡ（ＳＣ−ＦＤＭＡ）ネットワークを含む。
【０００４】
ワイヤレス通信ネットワークは、多数のユーザ機器（ＵＥ）に対する通信をサポートできる多数の基地局を含んでいてもよい。ＵＥは、ダウンリンクおよびアップリンクを通して、基地局と通信してもよい。ダウンリンク（すなわち、フォワードリンク）は、基地局からＵＥへの通信リンクのことを意味し、アップリンク（すなわち、リーバースリンク）は、ＵＥから基地局への通信リンクのことを意味する。
【０００５】
基地局は、ダウンリンク上でデータをＵＥに送信してもよく、および／または、アップリンク上でデータをＵＥから受け取ってもよい。ＵＥは、ダウンリンク上で隣接基地局からの高干渉を観測し、アップリンク上で隣接基地局に対する高干渉を生じさせるかもしれない。それぞれのリンク上での高干渉は、性能を低下させるかもしれない。
【０００６】
したがって、ワイヤレスネットワークにおける干渉を管理するための技術が、技術的に必要である。
【概要】
【０００７】
ここでは、ワイヤレス通信ネットワークにおける干渉を管理する技術を記述する。観点では、基地局は、ＵＥから受け取った拡張パイロット測定報告に基づいて、干渉管理決定を行ってもよい。拡張パイロット測定報告は、ＵＥによって検出された基地局に対するパイロット測定値とともに干渉管理に役立つかもしれない付加的情報を含む報告またはメッセージである。付加的情報は、報告されている基地局に対する情報、報告を送るＵＥに対する情報等を含んでいてもよい。干渉管理決定は、１つ以上の基地局に対する干渉を減少させることを意図するリソース割振またはスケジューリングに関する決定であり、これはネットワーク性能を向上させる。
【０００８】
１つの設計では、基地局は、基地局を検出するＵＥによる使用のために、パイロット（例えば、低再使用パイロット）を送ってもよい。基地局はまた、基地局に対する情報を含むブロードキャスト送信を送ってもよい。この情報は、さまざまなパラメータを含んでいてもよく、拡張パイロット測定報告に対して使用されてもよい。基地局は、複数のＵＥから拡張パイロット測定報告を受け取り、受け取った報告に基づいて干渉管理決定を行ってもよい。１つの設計では、基地局は、ＵＥから受け取った拡張パイロット測定報告に基づいて、ＵＥに対する担当基地局を選択してもよい。別の設計では、基地局は、隣接基地局に対する干渉を減少させるために、隣接基地局において低いターゲット干渉レベルを有するリソースを決定してもよく、そのリソース上でのアップリンク送信に対してＵＥをスケジューリングしないようにしてもよい。さらに別の実施形態では、基地局は、拡張パイロット測定報告に基づいて、隣接基地局に対するリソースを予約するか否かを決定してもよい。例えば、基地局は、隣接基地局のデータ性能や、基地局によって担当されているＵＥからの高干渉を隣接基地局が観測するか否かや、隣接基地局によって担当されているＵＥが基地局からの高干渉を観測するか否か等を、受け取った報告中の情報に基づいて決定してもよく、それに応じて、隣接基地局に対するリソースを予約してもよい。
【０００９】
開示のさまざまな観点および特徴について、以下でさらに詳細に記述する。
【図面の簡単な説明】
【００１０】
【図１】図１は、ワイヤレス通信ネットワークを示している。
【図２】図２は、インターレース送信構造を示している。
【図３Ａ】図３Ａは、ダウンリンク上でのデータ送信の例を示している。
【図３Ｂ】図３Ｂは、アップリンク上でのデータ送信の例を示している。
【図４】図４は、拡張パイロット測定報告を送るおよび使用する設計を示している。
【図５】図５は、基地局によって実行されるプロセスを示している。
【図６】図６は、基地局の装置を示している。
【図７】図７は、ＵＥによって実行されるプロセスを示している。
【図８】図８は、ＵＥの装置を示している。
【図９】図９は、基地局およびＵＥのブロック図を示している。
【詳細な説明】
【００１１】
ＣＤＭＡや、ＴＤＭＡや、ＦＤＭＡや、ＯＦＤＭＡや、ＳＣ−ＦＤＭＡや、他のネットワークのような、さまざまなワイヤレス通信ネットワークに対して、ここで記述した技術を使用してもよい。「ネットワーク」および「システム」という用語は、互換性があるように使用されることが多い。ＣＤＭＡネットワークは、ユニバーサル地上無線アクセス（ＵＴＲＡ）、ｃｄｍａ２０００等のような無線技術を実現してもよい。ＵＴＲＡは、広帯域ＣＤＭＡ（ＷＣＤＭＡ）やＣＤＭＡの他の変形を含んでいる。ｃｄｍａ２０００は、ＩＳ−２０００、ＩＳ−９５、およびＩＳ−８５６標準規格をカバーしている。ＴＤＭＡネットワークは、グローバルシステムフォーモバイル通信（ＧＳＭ）のような無線技術を実現してもよい。ＯＦＤＭＡシステムは、進化したＵＴＲＡ（Ｅ−ＵＴＲＡ）や、ウルトラモバイルブロードバンド（ＵＭＢ）や、ＩＥＥＥ８０２．１１（Ｗｉ−Ｆｉ（登録商標））や、ＩＥＥＥ８０２．１６（ＷｉＭＡＸ）や、ＩＥＥＥ８０２．２０や、フラッシュ−ＯＦＤＭ等のような無線技術を実現してもよい。ＵＴＲＡおよびＥ−ＵＴＲＡは、ユニバーサル移動体電気通信システム（ＵＭＴＳ）の一部である。３ＧＰＰロングタームエボリューション（ＬＴＥ）は、Ｅ−ＵＴＲＡを使用するやがて登場するリリースのＵＭＴＳであり、ダウンリンク上ではＯＦＤＭＡを使用し、アップリンク上ではＳＣ−ＦＤＭＡを使用する。ＵＴＲＡや、Ｅ−ＵＴＲＡや、ＵＭＴＳや、ＬＴＥや、ＧＳＭは、「第３世代パートナーシッププロジェクト」（３ＧＰＰ）と名付けられている機関による文書中に記述されている。ｃｄｍａ２０００およびＵＭＢは、「第３世代パートナーシッププロジェクト２」（３ＧＰＰ２）と名付けられている機関による文書中に記述されている。上記で説明したワイヤレスネットワークおよび無線技術、ならびに、他のワイヤレスネットワークおよび無線技術に対して、ここで記述した技術が使用されてもよい。明確さのために、ＬＴＥについて、技術のいくつかの観点を以下で記述し、以下での記述の大部部分では、ＬＴＥという用語を使用する。
【００１２】
図１は、ワイヤレス通信ネットワーク１００を示しており、このワイヤレス通信ネットワーク１００は、ＬＴＥネットワークまたは他の何らかのネットワークであってもよい。ワイヤレスネットワーク１００は、多数の進化ノードＢｓ（ｅＮＢ）１１０および他のネットワークエンティティを含んでいてもよい。ｅＮＢは、ＵＥと通信する局であってもよく、基地局、ノードＢ、アクセスポイント等とも呼ぶことができる。それぞれのｅＮＢは、特定の地理的エリアに対する通信カバレージを提供してもよい。用語「セル」は、用語が使用されている文脈に基づいて、このカバレージエリアを担当しているｅＮＢおよび／またはｅＮＢサブシステムのカバレージエリアのことを意味することがある。
【００１３】
ｅＮＢは、マクロセル、ピコセル、フェムトセル、および／または他のタイプのセルに対する通信カバレージを提供してもよい。マクロセルは、比較的広い地理的エリア（例えば、半径数キロメートル）をカバーし、サービス加入をしているＵＥによる制限のないアクセスを可能にする。ピコセルは、比較的狭い地理的エリアをカバーし、サービス加入しているＵＥによる制限のないアクセスを可能にする。フェムトセルは、比較的狭い地理的エリア（例えば、ホーム）をカバーし、フェムトセルと関係を持つＵＥによる、例えば、限定された加入者グループ（ＣＳＧ）に属しているＵＥによる制限のないアクセスを可能にする。ＣＳＧは、ホームにいるユーザ向けのＵＥ、ネットワークオペレータ等によって提供される特別なサービスプランに加入しているユーザ向けのＵＥ等を含んでいてもよい。マクロセル向けのＵＥをマクロｅＮＢと呼んでもよい。ピコセル向けのｅＮＢを、ピコｅＮＢと呼んでもよい。フェムトセル向けのｅＮＢを、フェムトｅＮＢまたはホームｅＮＢと呼んでもよい。
【００１４】
ワイヤレスネットワーク１００はまた、中継局を含んでいてもよい。中継局は、アップストリーム局からのデータおよび／または他の情報の送信を受け取り、データおよび／または他の情報の送信をダウンストリーム局に送る局である。アップストリーム局は、ｅＮＢ、別の中継局、またはＵＥであってもよい。ダウンストリーム局は、ＵＥ、別の中継局、またはｅＮＢであってもよい。
【００１５】
ネットワーク制御装置１３０は、１組のｅＮＢに結合され、これらのｅＮＢに対する調整および制御を提供してもよい。ネットワーク制御装置１３０は、単一のネットワークエンティティまたはネットワークエンティティの集まりであってもよい。ネットワーク制御装置１３０は、バックホールを通して、ｅＮＢ１１０と通信してもよい。ｅＮＢ１１０はまた、例えば、ワイヤレスまたはワイヤラインのバックホールを通して間接的に、または、直接的に互いに通信してもよい。
【００１６】
ワイヤレスネットワーク１００は、マクロｅＮＢだけを含んでいる同種ネットワークであってもよい。ワイヤレスネットワーク１００はまた、異なるタイプのｅＮＢ、例えば、マクロｅＮＢ、ピコｅＮＢ、フェムトｅＮＢ等を含んでいる異種ネットワークであってもよい。同種ネットワークまたは異種ネットワークに対して、ここで記述した技術が使用されてもよい。
【００１７】
ＵＥ１２０は、ワイヤレスネットワーク１００全体を通して分散されていてもよく、それぞれのＵＥは静的であっても、または、動的であってもよい。ＵＥを、移動局、端末、アクセス端末、加入者ユニット、局等と呼んでもよい。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局等であってもよい。ＵＥは、マクロｅＮＢ、ピコｅＮＢ、フェムトｅＮＢ、および／または他のタイプのｅＮＢと通信することができてもよい。図１では、両方向に矢印がある実線は、ＵＥとｅＮＢとの間の所望の送信を示している。両方向に矢印がある破線は、ＵＥとｅＮＢとの間の干渉送信を示している。
【００１８】
図２は、ダウンリンクおよびアップリンクのそれぞれに対して使用されるインターレース送信構造２００を示している。それぞれのリンクに対する送信タイムラインは、サブフレームの単位に区分されてもよく、サブフレームの単位を、フレーム、スロット等と呼んでもよい。それぞれのサブフレームは、特定の時間量、例えば、１ミリ秒（ｍｓ）をカバーしてもよい。
【００１９】
１ないしＭのインデックスを持つＭ個のインターレースは、それぞれのリンクに対して規定されてもよく、ここで、Ｍは、４、６、８、または他の何らかの値に等しくてもよい。それぞれのインターレースは、Ｍ個のサブフレームだけ間隔が空けられているサブフレームを含んでいてもよい。例えば、インターレース１は、サブフレーム１、Ｍ＋１、２Ｍ＋１等を含んでいてもよく、インターレース２は、サブフレーム２、Ｍ＋２、２Ｍ＋２等を含んでいてもよい。ダウンリンクに対するインターレースを、ダウンリンクインターレースと呼んでもよく、アップリンクに対するインターレースを、アップリンクインターレースと呼んでもよい。
【００２０】
ダウンリンクインターレースおよびアップリンクインターレースは、ハイブリッド自動再送（ＨＡＲＱ）に対して使用されてもよく、ＨＡＲＱインターレースと呼んでもよい。ＨＡＲＱの場合、パケットの１つ以上の送信は、パケットが正確にデコードされるまで、または、他の何らかの送信条件に遭遇するまで送られてもよい。パケットのすべての送信は、単一のインターレースの異なるサブフレーム中で送られる。
【００２１】
図３Ａは、ダウンリンク上でのデータ送信の例を示している。ＵＥは、担当ｅＮＢに対するダウンリンクチャネル品質を推定し、サブフレームｔにおいてチャネル品質インジケータ（ＣＱＩ）情報を送る。担当ｅＮＢは、ＣＱＩ情報および／または他の情報を使用して、ダウンリンク上でのデータ送信に対してＵＥをスケジューリングしたり、ＵＥに対する変調およびコーディングスキーム（ＭＣＳ）を選択したりする。担当ｅＮＢは、サブフレームｔ＋Ｑにおいて、ダウンリンク許可およびデータを送り、ここで、１≦Ｑ≦Ｍである。ダウンリンク許可は、選択されたＭＣＳ、割り当てられたリソース等を含んでいてもよい。ＵＥは、ダウンリンク許可にしたがって、担当ｅＮＢからのデータ送信を処理し、デコーディング結果に応じて、サブフレームｔ＋Ｍにおいて肯定応答（ＡＣＫ）または否定応答（ＮＡＣ）を送る。担当ｅＮＢは、ＮＡＣを受け取った場合にはデータを再送してもよく、ＡＣＫを受け取った場合には新しいデータを送信してもよい。ダウンリンク上でのデータ送信、および、アップリンク上でのＡＣＫ／ＮＡＣフィードバックは、同様な方法で続いてもよい。
【００２２】
図３Ｂは、アップリンク上でのデータ送信の例を示している。ＵＥは、担当ｅＮＢに送るデータを持っていてもよく、サブフレームｔにおいてリソース要求を送る。担当ｅＮＢは、アップリンク上でのデータ送信に対してＵＥをスケジューリングし、サブフレームｔ＋Ｑにおいてアップリンク許可を送る。アップリンク許可は、選択されたＭＣＳ、割り当てられたリソース等を含んでいてもよい。ＵＥは、サブフレームｔ＋Ｍにおいて、アップリンク許可にしたがったデータを送ってもよい。担当ｅＮＢは、ＵＥからのデータ送信を処理し、デコーディング結果に応じて、サブフレームｔ＋Ｍ＋ＱにおいてＡＣＫまたはＮＡＫを送る。ＵＥは、ＮＡＫを受け取った場合にはデータを再送し、ＡＣＫを受け取った場合には新しいデータを送信してもよい。アップリンク上でのデータ送信およびダウンリンク上でのＡＣＫ／ＮＡＫフィードバックは、類似した方法で続いてもよい。
【００２３】
図３Ａに示したように、ダウンリンク上でのデータ送信は、１対のダウンリンクインターレースおよびアップリンクインターレースによりサポートされてもよい。図３Ｂに示したように、アップリンク上でのデータ送信は１対のダウンリンクインターレースおよびアップリンクインターレースによりサポートされてもよい。双方のリンク上でのデータ送信はまた、１対のインターレースによりサポートされてもよい。
【００２４】
ワイヤレスネットワーク１００は、特定のシステム帯域幅を持っていてもよく、特定のシステム帯域幅は、多数のサブバンドに区分されていてもよい。それぞれのサブバンドは、周波数の範囲をカバーしていてもよい。サブバンドの数は、システム帯域幅に依存していてもよい。例えば、ＬＴＥでは、それぞれのサブバンドは、１．０８ＭＨｚをカバーし、１．２５、２．５、５、１０、または２０ＭＨのシステム帯域幅に対して、それぞれ、１、２、４、８、または１６個のサブバンドが存在していてもよい。システム帯域幅はまた、他の方法で区分されてもよい。
【００２５】
ワイヤレスネットワーク１００は、異なるタイプのｅＮＢ、例えば、マクロｅＮＢ、ピコｅＮＢ、フェムトｅＮＢ等を含んでいてもよい。これらの異なるタイプのｅＮＢは、異なる電力レベルで送信し、異なるカバレージエリアを持っており、ワイヤレスネットワーク１００における干渉に異なる影響を及ぼすかもしれない。例えば、マクロｅＮＢは、高送信電力レベル（例えば、２０ワット）を有していてもよく、高電力ｅＮＢと呼ばれてもよい。ピコおよびフェムトｅＮＢは、低送信電力レベル（例えば、１ワット）を有していてもよく、低電力ｅＮＢと呼ばれてもよい。さらに、いくつかのｅＮＢ（例えば、フェムトｅＮＢ）は、計画されていない方法で配備されているかもしれない。異なるタイプのｅＮＢおよび／または計画されていない配備のｅＮＢは、良い性能を達成するためにｅＮＢ間で調整を必要とするかもしれない。
【００２６】
ＵＥは、複数のｅＮＢのカバレージ内に存在しているかもしれない。ＵＥを担当するために、これらのｅＮＢのうちの１つが選択されてもよい。担当ｅＮＢは、受信信号品質、受信信号強度、パス損失等のようなさまざまな基準に基づいて選択されてもよい。受信信号品質は、ジオメトリと呼ばれることがあり、信号対雑音比（ＳＮＲ）、信号対雑音プラス干渉比（ＳＩＮＲ）、搬送波対干渉比（Ｃ／Ｉ）等によって定量化されてもよい。受信信号強度は、受信パイロット電力等によって定量化されてもよい。
【００２７】
ＵＥは、支配的な干渉シナリオで動作することがあり、このシナリオでは、ＵＥは、１つ以上の隣接ｅＮＢからの高干渉を観測することがある、および／または、隣接ｅＮＢに対する高干渉を生じさせることがある。高干渉は、しきい値を超えている観測された干渉によって、または、他の何らかの基準に基づいて定量化されてもよい。ＵＥが、ＵＥによって検出されたすべてのｅＮＢの中で低い方のパス損失および低い方のジオメトリを有するｅＮＢに接続しているために、支配的な干渉シナリオが発生することがある。これは、選択されたｅＮＢが、他のｅＮＢと比較して非常に低い送信電力を有している場合には好ましいかもしれない。ＵＥに対する所定のデータレートを達成するために、より少ない干渉が、ダウンリンクおよびアップリンクの双方上で生じるかもしれない。支配的な干渉シナリオはまた、制限のある関係が原因で発生することがある。ＵＥは、高い受信電力を有するｅＮＢに近いかもしれないが、制限のある関係が原因で、このｅＮＢにアクセスすることが許容されないかもしれない。したがって、ＵＥは、低い方の受信電力を有する制限のないｅＮＢに接続する。したがって、ＵＥは、制限のあるｅＮＢからの高干渉を観測し、このｅＮＢに対して高干渉を生じさせることがある。
【００２８】
ある観点では、ｅＮＢは、ＵＥから受け取った拡張パイロット測定報告に基づいて、干渉管理決定を行ってもよい。以下で記述するように、拡張パイロット測定報告は、さまざまなタイプの情報を含んでいてもよく、さまざまな方法で送られてもよい。ｅＮＢは、さらに以下で記述するように、拡張パイロット測定報告に基づいて、さまざまな干渉管理決定を行ってもよい。
【００２９】
図４は、干渉管理のために拡張パイロット測定報告を送るおよび使用する設計を示している。担当ｅＮＢおよび隣接ｅＮＢは、ダウンリンク上でパイロットおよびｅＮＢ情報を周期的に送信してもよい。パイロットは、低再使用パイロット／プリアンブル（ＬＲＰ）および／または他の同期信号、基準信号等であってもよい。ＬＲＰは、低再使用および／または高電力により送信されるパイロットであり、これにより、ダウンリンク上で高干渉を観測している遠方のＵＥによってでさえも検出できる。低再使用は、パイロット送信に対して異なるリソースを（少なくとも部分的に）使用している異なる基地局に関連しており、これにより、干渉を減少させることによってパイロットＳＮＲが向上し、比較的弱い基地局のパイロットでさえも確実に検出することができる。他の同期信号は、１次同期信号と２次同期信号とをＬＴＥ中に含んでいてもよい。ｅＮＢ情報は、以下に記述するように、ｅＮＢに対するさまざまなタイプの情報を含んでいてもよい。担当ｅＮＢおよび隣接ｅＮＢのカバレージ内のＵＥは、これらのｅＮＢからパイロットを受け取り、パイロット測定を行ってもよい。パイロット測定は、パイロットに基づいた測定であり、受信信号強度（例えば、受信パイロット電力）、受信信号品質（例えば、ＳＮＲ）、タイミングオフセット等を含んでいてもよい。ＵＥは、パイロット測定値、ｅＮＢ情報、ＵＥ情報等を含む拡張パイロット測定報告を発生させてもよい。担当ｅＮＢは、拡張パイロット測定報告をＵＥから受け取り、これらの報告に基づいて干渉管理決定を行ってもよい。担当ｅＮＢはまた、拡張パイロット測定報告と他の情報とに基づいて、担当ｅＮＢのＵＥをスケジューリングもしてもよい。隣接ｅＮＢもまた、拡張パイロット測定報告を受け取り、これらの報告に基づいて干渉管理決定を行ってもよい（簡単にするために、図４では示していない）。
【００３０】
ｅＮＢは、パイロットおよびｅＮＢ情報を周期的に送信してもよい。異なるｅＮＢからの送信は、（図４に示したように）時間整列してもよく、または、時間をずらして配列してもよい。ＵＥは、（例えば、パイロットを受け取ったときいつでも、パイロット測定報告するように構成されているとき、要求されたときいつでも等）拡張パイロット測定報告を周期的に送ってもよい。異なるＵＥからの拡張パイロット測定報告は、（図４に示したように）時間整列してもよく、または、時間をずらして配列してもよい。
【００３１】
所定のｅＮＢ Ｘは、ｅＮＢ情報をブロードキャストしてもよく、ｅＮＢ情報は、ｅＮＢ Ｘに関するさまざまなタイプの情報を含んでいてもよい。１つの設計では、ｅＮＢ情報は、下記：
・ｅＮＢの送信電力レベル
・ｅＮＢの負荷
・ｅＮＢの達成されたデータ性能
・ｅＮＢによってアップリンク上で観測された干渉レベル
・ｅＮＢに対するアップリンクのターゲット干渉レベル
・ｅＮＢに対する送信アンテナの数
・干渉管理情報
のうちのいくつか、または、すべてを含んでいてもよい。
【００３２】
異なるタイプのｅＮＢは、異なる送信電力レベルを有していてもよい。ｅＮＢ Ｘの送信電力レベルは、ｅＮＢ情報中で送られ、ｅＮＢ Ｘに対するパス損失を推定するためにＵＥによって使用されてもよい。ｅＮＢ Ｘの負荷は、ｅＮＢ Ｘにおいて利用されるリソースの割合、ｅＮＢ Ｘによって担当されているＵＥの数、ｅＮＢ Ｘによって担当されているすべてのＵＥに対するそれぞれのリンクに必要な集約データレート、および／または、他の負荷メトリックによって与えられてもよい。ｅＮＢ Ｘの達成されたデータ性能は、ｅＮＢ Ｘにより担当されているすべてのＵＥに対するそれぞれのリンクに対して達成された集約データレート、ＵＥまたはデータフローのデータレートおよび／またはサービスの品質（ＱｏＳ）要件を満たしているＵＥまたはデータフローの割合、ＵＥの平均データレート、最悪ＵＥのデータレート、悪い方から１０％のＵＥのデータレート、ならびに／あるいは、他のメトリックによって与えられてもよい。達成されたデータ性能は、ＱｏＳメトリックによって、例えば、ＵＥの遅延ターゲットを達成していないＵＥの割合によって与えられてもよい。ｅＮＢ Ｘによって観測された干渉レベルは、アップリンク全体に対して、それぞれのアップリンクインターレースに対して、それぞれのサブバンド等に対して与えられてもよい。異なる組のＵＥがこれらのインターレースまたはサブバンド上で送信しているために、異なるアップリンクインターレースまたはサブバンドは異なる干渉レベルを有するかもしれない。ターゲット干渉レベルはまた、アップリンク全体に対して、それぞれのアップリンクインターレースに対して、それぞれのサブバンド等に対して与えられてもよい。ｅＮＢ Ｘは、異なるアップリンクインターレースまたはサブバンド上で異なるＵＥを担当してもよく、そして、ｅＮＢ Ｘによって使用されるそれぞれのアップリンクインターレースまたはサブバンドに対するターゲット干渉レベルを提供してもよい。
【００３３】
ｅＮＢ Ｘは、干渉管理情報をブロードキャストしてもよく、干渉管理情報は、他のｅＮＢによる干渉管理に有用である。例えば、干渉管理情報は、他のｅＮＢ／ＵＥによる使用のために予約されたリソース（例えば、インターレース、サブバンド等）、ｅＮＢ Ｘによる、異なるリソース上の送信電力レベル、異なるリソースに対する測定された干渉レベルおよび／またはターゲット干渉レベル等を伝えてもよい。
【００３４】
ｅＮＢ情報は、ｅＮＢ Ｘのバックホール品質、ｅＮＢ Ｘの制限のある／制限のないアクセスステータス等を含んでいてもよい。ｅＮＢ情報はまた、ｅＮＢ Ｘによって制御チャネル（すなわち、制御リソース）に対して使用されるリソース、ｅＮＢ Ｘによって使用される１次制御リソース等を含んでいてもよい。ｅＮＢ情報はまた、ｅＮＢ Ｘにおける送信アンテナの数を含んでいてもよく、送信アンテナの数は、担当ｅＮＢとしてのｅＮＢ Ｘの多重入力多重出力（ＭＩＭＯ）能力を推定するために、および／または、干渉ｅＮＢとしてｅＮＢ Ｘを考えて協調的な（空間）干渉低減を推定するために使用してもよい。
【００３５】
ｅＮＢ Ｘはまた、ｅＮＢ Ｘによって担当されているＵＥの平均データレート、担当されているＵＥの下端（すなわち、最悪ケース）データレート、担当されているｅＮＢ により達成された遅延性能（例えば、中間または下端）等のようなＵＥ情報を送ってもよい。
【００３６】
ｅＮＢ Ｘは、図４に示したように、無線を通して、ｅＮＢ情報をＵＥにブロードキャストしてもよい。例えば、ｅＮＢ Ｘは、物理ブロードキャストチャネル（ＰＢＣＨ）上で、または、ＬＴＥにおけるシステム情報ブロック（ＳＩＢ）の一部として、ｅＮＢ情報を送ってもよい。ｅＮＢ Ｘはまた、他のチャネルまたは信号上で、例えば、低再使用を使用して送られるチャネル上で、ＬＲＰの一部等として、ｅＮＢ情報を送ってもよい。代替的または付加的に、ｅＮＢ Ｘは、バックホールを通して、ｅＮＢ情報を隣接ｅＮＢに送ってもよい。
【００３７】
所定のＵＥ Ｙは、拡張パイロット測定報告を、ＵＥ Ｙの担当ｅＮＢに、そして可能であれば隣接ｅＮＢに送ってもよい。１つの設計では、拡張パイロット測定報告は、下記：
・ＵＥによって検出されたｅＮＢ（またはセル）のリスト
・リストにおけるそれぞれのｅＮＢに対するパイロット測定
・それぞれのｅＮＢの送信電力レベル
・それぞれのｅＮＢに対するパス損失
・それぞれのｅＮＢの負荷
・それぞれのｅＮＢの達成されたデータ性能
・それぞれのｅＮＢによってアップリンク上で観測された干渉レベル
・それぞれのｅＮＢに対するアップリンク上のターゲット干渉レベル
・それぞれのｅＮＢまたはすべてのｅＮＢから、ＵＥによって受け取られた、干渉減少要求の数および／または優先順位
・それぞれのｅＮＢに対する送信アンテナの数、および
・ＵＥ情報
のうちのいくつか、または、すべてを含んでいてもよい。
【００３８】
拡張パイロット測定報告中に含まれているｅＮＢのリストは、ＵＥ Ｙによって検出された任意の数のｅＮＢを含んでいてもよい。検出されたｅＮＢは、マクロｅＮＢ、ピコｅＮＢ、および／またはフェムトｅＮＢを含んでいてもよい。ＵＥ Ｙは、しきい値を超える受信信号強度を有するｅＮＢを、または、他の方法で選択されたｅＮＢを報告してもよい。報告されたｅＮＢは、担当ｅＮＢや、ダウンリンク上でＵＥ Ｙに対する高干渉を生じさせるかもしれない隣接ｅＮＢや、アップリンク上でＵＥ Ｙから高干渉を観測するかもしれない隣接ｅＮＢを含んでいてもよい。それぞれ報告されたｅＮＢは、ｅＮＢ識別子（ＩＤ）、セルＩＤ、アクセスネットワークＩＤ（ＡＮＩＤ）等によって識別されてもよい。ＡＮＩＤが、全体的なワイヤレスネットワークにわたって一意的または実質的に一意的であってもよいのに対して、ｅＮＢ ＩＤまたはセルＩＤは、より狭い地理的エリアにわたって一意的であってもよい。
【００３９】
ＵＥ Ｙからそれぞれ報告されるｅＮＢへのパス損失は、拡張パイロット測定報告において提供されてもよい。パス損失はまた、（パイロット測定値で提供されるかもしれない）ｅＮＢに対する、ＵＥ Ｙによって測定された受信パイロット電力と、（ｅＮＢによってブロードキャストされた情報から得られて、拡張パイロット測定報告において提供されるかもしれない）ｅＮＢの送信電力レベルとに基づいて決定されてもよい。
【００４０】
隣接ｅＮＢは、いくつかのリソース上での干渉を減少させるようにＵＥに要求するための干渉減少要求を、受信範囲内のＵＥに送ってもよい。干渉減少要求をリソース利用メッセージ（ＲＵＭ）等と呼ぶことがある。ＵＥ Ｙは、干渉減少要求を隣接ｅＮＢから受け取り、それにしたがって、ＵＥ Ｙの送信電力を減少させてもよい。ＵＥ Ｙは、拡張パイロット測定報告中に、隣接ｅＮＢから受け取った干渉減少要求の数および／または優先順位を含んでいてもよい。担当ｅＮＢは、拡張パイロット測定報告における干渉情報に基づいて隣接ｅＮＢが高干渉を観測しているか否かを決定してもよい。干渉情報は、ＵＥ Ｙによって受け取られた隣接ｅＮＢからの干渉減少要求の数および／または優先順位、隣接ｅＮＢによって観測された干渉レベル、隣接ｅＮＢのターゲット干渉レベル等を含んでいてもよい。
【００４１】
拡張パイロット測定報告中のそれぞれの報告されたｅＮＢに対して、ｅＮＢの負荷、ｅＮＢの達成されたデータ性能、ｅＮＢによって観測された干渉レベル、ｅＮＢに対するターゲット干渉レベル、および／または、他の情報が、そのｅＮＢによってブロードキャストされたｅＮＢ情報から得られてもよい。ｅＮＢ情報のいくつかまたはすべては、拡張パイロット測定報告中で送られてもよい。
【００４２】
拡張パイロット測定情報はまた、ＵＥ情報を含んでいてもよく、ＵＥ情報は、ＵＥ Ｙに関するさまざまなタイプの情報を含んでいてもよい。１つの設計では、ＵＥ情報は、下記：
・ＵＥの達成されたデータ性能
・ＵＥのデータ要件
・ＵＥによってダウンリンク上で観測された干渉レベル
・ＵＥに対するダウンリンク上のターゲット干渉レベル
・それぞれのｅＮｂまたはすべてのｅＮＢにＵＥによって送られた干渉減少要求の数および／または優先順位
・ＵＥによって受け取った干渉減少要求の数および／または優先順位、および
・ＵＥにおける受信アンテナの数
のうちのいくつかまたはすべてを含んでいてもよい。
【００４３】
ＵＥ Ｙの達成されたデータ性能は、ＵＥ Ｙによって達成された全体的なデータレート、データフローのデータレートおよび／またはＱｏＳ要件を達成するデータフローの数、ＵＥ Ｙに対する、データレート、中間遅延、下端遅延、遅延累積分布関数（ＣＤＦ）等、ならびに／あるいは、他のメトリックによって与えられてもよい。ＵＥ Ｙのデータ要件は、ＵＥ Ｙによって送るデータの量、送るデータのＱｏＳ等によって与えられてもよい。ＵＥ Ｙによって観測された干渉レベルは、ダウンリンク全体に対して、それぞれのダウンリンクインターレースに対して、それぞれのサブバンド等に対して与えられてもよい。これらのインターレースまたはサブバンド上で、異なる組のｅＮＢが送信しているために、異なるダウンリンクインターレースまたはサブバンドは、異なるインターレースレベルを有するかもしれない。ターゲット干渉レベルはまた、ダウンリンク全体に対して、それぞれのダウンリンクインターレースに対して、それぞれのサブバンド等に対して与えられてもよい。ＵＥ Ｙは、いくつかのリソース（例えば、いくつかのインターレース）上での干渉を減少させるようにこれらの隣接ｅＮＢに要求するための干渉減少要求を、隣接ｅＮＢに送ってもよい。ＵＥ Ｙは、拡張パイロット測定報告中で、または、別のメッセージを通して、隣接ｅＮＢに送られた干渉減少要求の数および／または優先順位を含んでいてもよい。ＵＥ情報はまた、ｅＮＢによる干渉管理および／またはＵＥ Ｙのスケジューリングに有用であるかもしれない他の情報を含んでいてもよい。拡張パイロット測定報告はまた、先に記述したｅＮＢ情報を含んでいてもよい。
【００４４】
一般的に、拡張パイロット測定報告は、ｅＮＢのリストに対するパイロット測定値を含んでいてもよく、報告されたｅＮＢに対するｅＮＢ情報および／またはＵＥ情報も含んでいてもよい。ＵＥ Ｙは、拡張パイロット測定報告を周期的に送ってもよく、拡張パイロット測定報告は同じ情報または異なる情報を含んでいてもよい。例えば、拡張パイロット測定報告の中には、ｅＮＢ情報および／またはＵＥ情報を含んでいるものがあれば、拡張パイロット測定報告には、ｅＮＢ情報および／またはＵＥ情報を省略しているものある。別の例として、拡張パイロット測定報告の中には、報告されたｅＮＢおよび／またはＵＥに対する干渉情報を含んでいるものもあれば、拡張パイロット測定報告には、干渉情報を省略しているものある。
【００４５】
所定のｅＮＢ Ｚは、ｅＮＢ Ｚによって担当されているＵＥから拡張パイロット測定報告を受け取るとともに、隣接ｅＮＢによって担当されているＵＥから拡張パイロット測定報告を受け取ってもよい。ｅＮＢ Ｚは、ＵＥから受け取った拡張パイロット測定報告に基づいて、さまざまな干渉管理決定を行ってもよい。
【００４６】
１つの設計では、ｅＮＢ Ｚが、拡張パイロット測定報告に基づいて、ＵＥに対する担当ｅＮＢを選択してもよい。例えば、ｅＮＢ Ｚは、高電力ｅＮＢであるかもしれず、そして、ｅＮＢ Ｚによって担当されているいくつかのＵＥを、ワイヤレスネットワークに対する少ない犠牲（例えば、干渉）で低電力ｅＮＢによって、より良好に担当できるか否かを、決定してもよい。担当しているＵＥに対して、ｅＮＢ Ｚは、例えば、パイロット測定値と、報告されたｅＮＢの送信電力レベルとに基づいて、ＵＥからｅＮＢ Ｚへのパス損失とともに、ＵＥによって報告されたそれぞれのｅＮＢへのＵＥからのパス損失を決定してもよい。ｅＮＢ Ｚは、例えば、他のｅＮＢの負荷と他のｅＮＢの達成されたデータ性能とに基づいて、ＵＥが別のｅＮＢに対してより低いパス損失を有しているか否かや、他のｅＮＢがＵＥを担当できるか否かを決定してもよい。他のｅＮＢによってＵＥがより良好に担当できる場合には、ｅＮＢ Ｚは、ＵＥを他のｅＮＢに引き継いでもよい。ｅＮＢ Ｚは、ｅＮＢ Ｚによって担当されているそれぞれのＵＥに対するプロセス、またはｅＮＢ Ｚによって担当され、そしてデータ性能が悪いそれぞれのＵＥに対するプロセス、またはｅＮＢ Ｚによって担当され、そして他のｅＮＢからの高干渉を観測しているそれぞれのＵＥに対するプロセス等を反復してもよい。
【００４７】
別の設計では、ｅＮＢ Ｚは、隣接ｅＮＢに対する高干渉を生じさせるであろうアップリンク（例えば、アップリンクインターレース）上のいくつかのリソース上でＵＥをスケジューリングしないようにしてもよい。ｅＮＢ Ｚは、高電力ｅＮＢ、例えば、マクロｅＮＢであるかもしれない。ＵＥは、ｅＮＢ Ｚとは離れて位置しているかもしれず、それぞれのｅＮＢ Ｚに対して高電力で順番に送信する必要があるかもしれない。ＵＥは、隣接ｅＮＢに対して高干渉を生じさせるかもしれず、この隣接ｅＮＢはピコｅＮＢまたはフェムトｅＮＢであるかもしれない。ｅＮＢ Ｚはまた、（ｅＮＢＺによって把握されるかもしれない、または、ＵＥによって送られる拡張パイロット測定報告において提供されるかもしれない）ＵＥの送信電力レベルと、（拡張パイロット測定報告中に含まれている情報に基づいて決定されるかもしれない）ＵＥから隣接ｅＮＢへのパス損失とに基づいて、ＵＥによって生じる、隣接ｅＮＢに対する干渉を決定してもよい。ｅＮＢ Ｚは、（例えば、拡張パイロット測定報告におけるｅＮＢ情報に基づいて、）隣接ｅＮＢのターゲット干渉レベルと、隣接ｅＮＢの達成されたデータ性能とを把握していてもよい。利用可能な情報に基づいて、ｅＮＢ Ｚは、隣接ｅＮＢによって使用されるリソース（例えば、１つ以上のインターレースまたはサブバンド）上でＵＥをスケジューリングしないことを選択してもよい。隣接ｅＮＢは、他のリソースと比較して、これらのリソース上でのより少ない干渉を観測し、より良い性能を達成できるかもしれない。
【００４８】
別の設計では、ｅＮＢ Ｚは、隣接ｅＮＢのデータ性能に基づいて、１つ以上の隣接ｅＮＢに対するリソースを予約してもよく、隣接ｅＮＢのデータ性能は、拡張パイロット測定報告から得られてもよい。予約されたリソースは、１つ以上のインターレース、１つ以上のサブバンド、または他の何らかの無線リソースによって与えられてもよい。ｅＮＢ Ｚは、高電力ｅＮＢであるかもしれず、ｅＮＢ Ｚによって担当されているＵＥに対して、低電力ｅＮＢ（または低電力ｅＮＢに接続されているＵＥ）が十分なデータ性能を達成している否かを決定してもよい。この情報に基づいて、ｅＮＢ Ｚは、ｅＮＢ Ｚ自体の性能または低電力ｅＮＢの性能またはネットワーク性能全般を向上できるか否かを決定してもよい。例えば、ｅＮＢ Ｚは、低電力ｅＮＢによる使用のために、１つ以上のダウンリンクインターレースおよび／または１つ以上のアップリンクインターレースを予約してもよい。予約されたインターレース上での干渉を少なくする、または、なくすために、ｅＮＢ Ｚは、ｅＮＢ Ｚの送信電力を減少させてもよく、または、予約されたインターレース上で送信しないようにしてもよい。低電力ｅＮＢは、予約されたインターレース上で、低電力ｅＮＢのＵＥをより良好に担当できるかもしれない。ｅＮＢ Ｚはまた、いくつかのＵＥを低電力ｅＮＢに引き継いでもよく、低電力ｅＮＢは、予約されたインターレース上でこれらのＵＥを担当できる。
【００４９】
別の設計では、ｅＮＢ Ｚによって担当されているＵＥからの、アップリンク上の高干渉を隣接ｅＮＢが観測した場合、ｅＮＢ Ｚは隣接ｅＮＢに対するアップリンクリソース（例えば、１つ以上のアップリンクインターレース、１つ以上のサブバンド等）を予約してもよい。この状態は、ＵＥが（高電力ｅＮＢまたは制限のないアクセスを有するｅＮＢであるかもしれない）ｅＮＢ Ｚと離れて位置しており、（低電力ｅＮＢまたは制限のあるアクセスを有するｅＮＢであるかもしれない）隣接ｅＮＢにより近い場合に、発生するかもしれない。ｅＮＢ Ｚは、（ｉ）隣接ｅＮＢによって観測された高干渉レベル、および／または（ｉｉ）ｅＮＢ Ｚによって担当されているＵＥによって受け取られた、隣接ｅＮＢからの干渉減少要求の数および／または優先順位に基づいて、この状態を検出してもよい。隣接ｅＮＢによる使用のためにアップリンクリソースを予約することによって、これらのｅＮＢの性能は向上し、これらのｅＮＢによって送られる干渉減少要求の数および／または優先順位もまた、減少するかもしれない。
【００５０】
別の設計では、隣接ｅＮＢによって担当されているＵＥが、ｅＮＢ Ｚからのダウンリンク上での高干渉を観測した場合に、ｅＮＢ Ｚが、隣接ｅＮＢに対するダウンリンクリソース（例えば、１つ以上のダウンリンクインターレース、１つ以上のサブバンド等）を予約してもよい。この状態は、（ｉ）ｅＮＢ Ｚが高電力ｅＮＢであり、隣接ｅＮＢが低電力ｅＮＢである場合、または（ｉｉ）ｅＮＢ Ｚが、制限のあるアクセスを有するフェムトｅＮＢであり、隣接ｅＮＢが、制限のあるアクセスを有するマクロおよび／またはピコｅＮＢである場合に、発生するかもしれない。ｅＮＢ Ｚは、（ｉ）隣接ｅＮＢによって担当されているＵＥによって観測された高干渉レベル、および／または（ｉｉ）隣接ｅＮＢによって担当されているＵＥからの、ｅＮＢ Ｚによって受け取られた干渉減少要求の数および／または優先順位に基づいて、この状態を検出してもよい。ｅＮＢ Ｚはまた、ｅＮＢ Ｚおよび／またはｅＮＢ ＺのＵＥの性能と比較して、隣接ｅＮＢおよび／または隣接ｅＮＢのＵＥの性能を考慮してもよい。ｅＮＢ Ｚが全体としてネットワーク性能および／または公平性の向上を検出した場合に、ｅＮＢ Ｚはリソースを予約してもよい。ｅＮＢ Ｚはまた、リソースを予約するか否かを決定するときに、ハンドオフ決定を考慮に入れてもよい。例えば、ｅＮＢ Ｚは、２つのＵＥを２つのピコｅＮＢに引き継いでもよく、これらのｅＮＢに対するいくつかのリソースを同時に予約してもよい。２つのピコｅＮＢは、同じリソース上で２つのＵＥを同時に担当できるかもしれず、これにより、セル分割利得を達成する。いずれの場合においても、隣接ｅＮＢによる使用のためにダウンリンクリソースを予約することによって、これらのｅＮＢの性能は向上し、ｅＮＢのＵＥによって送られた干渉減少要求の数および／または優先順位も、減少するかもしれない。
【００５１】
ｅＮＢ Ｚは、予約リソースの予め定められた順序に基づいて、ダウンリンクおよび／またはアップリンクリソースを予約してもよい。例えば、ｅＮＢ Ｚは、予め定められた順序に基づいて、インターレースまたはサブバンドを予約してもよい。予め定められた順序は、異なるｅＮＢに対して適用可能であってもよく、低電力ｅＮＢおよび／または低電力ｅＮＢのＵＥによる使用のために、オーバーラップリソースを高電力ｅＮＢが予約することを可能にしてもよい。
【００５２】
ｅＮＢ Ｚは、予約されたダウンリンクおよび／またはアップリンクリソースを隣接ｅＮＢおよびＵＥに伝えてもよく、あるいは、伝えなくてもよい。１つの設計では、ｅＮＢ Ｚは、予約されたダウンリンクおよび／またはアップリンクリソースをアドバタイズしてもよい。ｅＮＢ Ｚはまた、データに対する予約されたリソースと、制御チャネルに対する予約されたリソースとを別々にアドバタイズしてもよい。異なる送信電力および／または干渉制御ルールが、データおよび制御チャネルに対して使用されるリソース上で使用されてもよい。別の設計では、ｅＮＢ Ｚは、予約されたリソースを伝えない。隣接ｅＮＢは、隣接ｅＮＢのためにｅＮＢ Ｚによってどのリソースが予約されているか認識していないかもしれず、単に、予約されたリソース上でより低い干渉を観測するかもしれない。
【００５３】
ｅＮＢ Ｚはまた、ＵＥから受け取った拡張パイロット測定報告に基づいて、他の干渉管理決定を行ってもよい。
【００５４】
図５は、第１の基地局によって実行されるプロセス５００の設計を示しており、第１の基地局は、ワイヤレスネットワークにおけるｅＮＢまたは他の何らかの局であってもよい。第１の基地局は、第１の基地局を検出するＵＥによる使用のためにパイロット（例えば、低再使用パイロット）を送る（ブロック５１２）。第１の基地局はまた、第１の基地局に対する情報を含むブロードキャスト送信を送り、ブロードキャスト送信は、先に記述したｅＮＢ情報のうちの任意のものを含んでいてもよい（５１４）。
【００５５】
第１の基地局は、複数のＵＥから拡張パイロット測定報告を受け取る（ブロック５１６）。それぞれの拡張パイロット測定報告は、１組の基地局に対するパイロット測定値を含んでいてもよく、１組中の基地局に対する情報および／または拡張パイロット測定報告を送るＵＥに対する情報をさらに含んでいてもよい。基地局に対するパイロット測定は、受信信号強度、受信パイロット電力、受信信号品質、および／または他の情報を含んでいてもよい。１つの設計では、それぞれの拡張パイロット測定報告は、報告されている１組中の基地局のそれぞれの基地局の送信電力レベル、それぞれの基地局に対するパス損失、それぞれの基地局の負荷、それぞれの基地局の達成されたデータ性能、それぞれの基地局によって観測された干渉レベル、それぞれの基地局に対するターゲット干渉レベル、および／または他の情報を含んでいてもよい。１つの設計では、それぞれの拡張パイロット測定報告は、報告を送るＵＥの達成されたデータ性能、ＵＥのデータ要件、ＵＥによって観測された干渉レベル、ＵＥに対するターゲット干渉レベル、および／または他の情報を含んでいてもよい。
【００５６】
第１の基地局は、複数のＵＥから受け取った拡張パイロット測定報告に基づいて、干渉管理決定を行う（ブロック５１８）。ブロック５１８の１つの設計では、第１の基地局が、ＵＥから受け取った拡張パイロット測定報告に基づいて、ＵＥに対する担当基地局を選択してもよい。例えば、第１の基地局は、拡張パイロット測定報告に基づいて、ＵＥを担当する高電力基地局または低電力基地局を選択してもよい。第１の基地局はまた、拡張パイロット測定報告中に含まれている、ＵＥから１組中の基地局中のそれぞれの基地局へのパス損失に基づいて、ＵＥに対する担当基地局を選択してもよい。第１の基地局は、（報告から得られてもよい）基地局の送信電力レベルと、（報告中に含まれているパイロット測定値から得られてもよい）ＵＥにおける基地局の受信電力レベルとに基づいて、ＵＥからそれぞれの基地局へのパス損失を決定してもよい。第１の基地局はまた、ＵＥに対する担当基地局を他の方法で選択してもよい。担当基地局が第１の基地局と異なる場合、第１の基地局は、ＵＥを、選択された基地局に引き継いでもよい。
【００５７】
ブロック５１８の別の設計では、第１の基地局は、拡張パイロット測定報告に基づいて、第２／隣接基地局における高く観測された干渉レベルまたは低いターゲット干渉レベルを有するリソースを決定してもよい。このリソースは、時間周波数リソース、インターレース、サブバンド等を含んでいてもよい。第１の基地局は、第２の基地局に対する干渉を減少させるために、このリソース上でのアップリンク送信に対してＵＥをスケジューリングしないようにしてもよい。
【００５８】
ブロック５１８のさらに別の設計では、第１の基地局は、拡張パイロット測定報告に基づいて、隣接基地局および／またはこれらの基地局によって担当されているＵＥに対するリソース（例えば、ダウンリンクおよび／またはアップリンクインターレース、サブバンド等）を予約するか否かを決定してもよい。１つの設計では、第１の基地局は、拡張パイロット測定報告に基づいて、第２の基地局のデータ性能を決定してもよい。第１の基地局は、第２の基地局のデータ性能と、第１の基地局のデータ性能とに基づいて、第２の基地局に対するリソースを予約するか否かを決定してもよい。別の設計では、第１の基地局は、拡張パイロット測定報告に基づいて、第１の基地局によって担当されているＵＥからの高い干渉を第２の基地局が観測するか否かを決定してもよい。第１の基地局によって担当されているＵＥからの高干渉を第２の基地局が観測した場合、第１の基地局は、第２の基地局に対するアップリンク上のリソースを予約してもよい。さらなる別の設計では、第１の基地局は、拡張パイロット測定報告に基づいて、第１の基地局からの高干渉を第２の基地局によって担当されているＵＥが観測するか否かを決定してもよい。第２の基地局のＵＥが第１の基地局からの高干渉を観測した場合、第１の基地局は、第２の基地局に対するダウンリンク上のリソースを予約してもよい。１つの設計では、第１の基地局は、第２の基地局に対する予約されたリソースを、第１の基地局の受信範囲内のＵＥにブロードキャストしてもよい。別の設計では、第１の基地局は、第２の基地局に対する予約されたリソースをアドバタイズしない。
【００５９】
第１の基地局はまた、拡張パイロット測定報告に基づいて、他の干渉管理決定を行ってもよい。例えば、隣接基地局に対する干渉を減少させるために、第１の基地局は、拡張パイロット測定報告に基づいて、（例えば、それぞれのインターレースまたはそれぞれのサブバンドに対する）第１の基地局の送信電力レベルを決定してもよい。
【００６０】
図６は、基地局の装置６００の設計を示している。装置６００は、基地局を検出するＵＥによる使用のためにパイロットを基地局から送るモジュール６１２と、基地局に対する情報を含むブロードキャスト送信を送るモジュール６１４と、複数のＵＥから拡張パイロット測定報告を受け取るモジュール６１６と、拡張パイロット測定報告に基づいて、干渉管理決定を行うモジュール６１８とを備えている。
【００６１】
図７は、ワイヤレスネットワークにおけるＵＥによって実行されるプロセス７００の設計を示している。ＵＥは、基地局によって送信されたパイロット（例えば、低再使用パイロット）に基づいて、基地局／ｅＮＢを検出する（ブロック７１２）。ＵＥは、検出した基地局からブロードキャスト送信を受け取り、ブロードキャスト送信から基地局に対する情報を得る（ブロック７１４）。基地局に対する情報は、先に記述したｅＮＢ情報のうちの任意のものを含んでいてもよい。
【００６２】
ＵＥは、拡張パイロット測定報告を発生させ、拡張パイロット測定報告は、ＵＥによって検出した１組の基地局に対するパイロット測定値を含んでいてもよく、１組中の基地局に対する情報および／またはＵＥに対する情報をさらに含んでいてもよい（ブロック７１６）。１つの設計では、拡張パイロット測定報告は、１組中のそれぞれの基地局の送信電力レベル、それぞれの基地局に対するパス損失、それぞれの基地局の負荷、それぞれの基地局の達成されたデータ性能、それぞれの基地局によって観測された干渉レベル、それぞれの基地局に対するターゲット干渉レベル、および／または他の情報を含んでいてもよい。１つの設計では、拡張パイロット測定報告は、ＵＥの達成されたデータ性能、ＵＥのデータ要件、ＵＥによって観測された干渉レベル、ＵＥに対するターゲット干渉レベル、および／または他の情報を含んでいてもよい。
【００６３】
ＵＥは、干渉管理決定を行う少なくとも１つの基地局による使用のために、拡張パイロット測定報告を、１組の基地局中の少なくとも１つの基地局に送る（ブロック７１８）。少なくとも１つの基地局は、ＵＥに対する担当基地局、ダウンリンク上でＵＥに対する高干渉を生じさせる基地局、アップリンク上でＵＥからの高干渉を観測する基地局、および／または他の基地局を含んでいてもよい。ＵＥは、拡張パイロット測定報告に基づいてＵＥに対して選択された基地局と通信する（ブロック７２０）。この基地局は、拡張パイロット測定報告中に含まれている情報に基づいて決定された、パス損失、データ性能、および／または他の基準に基づいて選択されてもよい。
【００６４】
別の設計では、ＵＥは、拡張パイロット測定報告の代わりに、異なるタイプの情報（例えば、パイロット測定値、干渉情報、干渉管理情報、ｅＮＢ情報、ＵＥ情報等）を異なったメッセージにおいて送ってもよい。一般的に、任意の数のメッセージを使用して、異なるタイプの情報を送ってもよく、それぞれのメッセージは、任意のタイプの情報を伝えてもよい。それぞれの基地局は、異なるメッセージを介して、異なるタイプの情報をＵＥから得てもよく、先に記述したように、異なるタイプの情報を使用してもよい。
【００６５】
図８は、ＵＥの装置８００の設計を示している。装置８００は、基地局によって送信されたパイロットに基づいて基地局を検出するモジュール８１２と、検出した基地局からブロードキャスト送信を受け取り、基地局に対する情報を得るモジュール８１４と、ＵＥによって検出した１組中の基地局に対するパイロット測定値を含み、１組の基地局に対する情報および／またはＵＥに対する情報をさらに含む拡張パイロット測定報告を発生させるモジュール８１６と、干渉管理決定を行う少なくとも１つの基地局による使用のために、拡張パイロット測定報告を１組中の少なくとも１つの基地局に送るモジュール８１８と、拡張パイロット測定報告に基づいてＵＥに対して選択された基地局と通信するモジュール８２０とを備えている。
【００６６】
図６および８におけるモジュールは、プロセッサ、電子デバイス、ハードウェアデバイス、電子コンポーネント、論理回路、メモリ、ソフトウェアコード、ファームウェアコード等、またはこれらの任意の組み合わせたものを含んでいてもよい。
【００６７】
図９は、基地局／ｅＮＢ１１０およびＵＥ１２０の設計のブロック図を示しており、基地局／ｅＮＢ１１０およびＵＥ１２０は、図１における、基地局／ｅＮＢのうちの１つ、および、ＵＥのうちの１つであってもよい。この設計では、基地局１１０にはＴ本のアンテナ９３４ａないし９３４ｔが備えられており、ＵＥ１２０にはＲ本のアンテナ９５２ａないし９５２ｒが備えられており、ここで一般的に、Ｔ≧１であり、Ｒ≧１である。
【００６８】
基地局１１０では、送信プロセッサ９２０が、１つ以上のＵＥに対するデータを、データ源９１２から受け取り、データを処理（例えば、エンコード、インターリーブ、および変調）し、データシンボルを提供する。送信プロセッサ９２０はまた、情報（例えば、制御情報、ｅＮＢ情報、干渉減少要求等）を制御装置／プロセッサ９４０から受け取り、情報を処理して、制御シンボルを提供する。送信（ＴＸ）ＭＩＭＯプロセッサ９３０は、空間処理（例えば、プレコーディング）を、適用できるならば、データシンボル、制御シンボル、および／またはパイロットシンボル上で実行し、送信（ＴＸ）ＭＩＭＯプロセッサ９３０は、Ｔ個の出力シンボルストリームをＴ個の変調器（ＭＯＤ）９３２ａないし９３２ｔに提供する。それぞれの変調器９３２は、（例えば、ＯＦＤＭ等のために）各出力シンボルストリームを処理して、出力サンプルストリームを得る。それぞれの変調器９３２は、出力サンプルストリームをさらに処理（例えば、アナログ変換、増幅、フィルタリング、およびアップコンバート）し、ダウンリンク信号を得る。変調器９３２ａないし９３２ｔからのＴ個のダウンリンク信号は、それぞれ、Ｔ本のアンテナ９３４ａないし９３４ｔを通して送信されてもよい。
【００６９】
ＵＥ１２０では、アンテナ９５２ａないし９５２ｒが、ダウンリンク信号を基地局１１０から受け取り、それぞれ、受信信号を復調器（ＤＥＭＯＤ）９５４ａないし９５４ｔに提供する。それぞれの復調器９５４は、各受信信号を調整（例えば、フィルタリング、増幅、ダウンコンバート、およびデジタル化）して、受信サンプルを得る。それぞれの復調器９５４は、（例えば、ＯＦＤＭ等のために）受信サンプルをさらに処理して、受信シンボルを得る。ＭＩＭＯ検出器９５６は、受信シンボルをＲ個の復調器９５４ａないし９５４ｒすべてから得て、適用できるならば、受信シンボル上でＭＩＭＯ検出を実行し、検出されたシンボルを提供する。受信プロセッサ９５８は、検出されたシンボルを処理（例えば、復調、デインターリーブ、およびデコード）し、ＵＥ１２０に対するデコードされたデータをデータシンク９６０に提供し、デコードされた情報を制御装置／プロセッサ９８０に提供する。
【００７０】
アップリンク上で、ＵＥ１２０では、送信プロセッサ９６４は、データをデータ源９６２から、そして（例えば、拡張パイロット測定報告、干渉減少要求等に対する）情報を制御装置／プロセッサ９８０から受け取り、処理する。送信プロセッサ９６４からのシンボルは、適用できるならば、ＴＸ ＭＩＭＯプロセッサ９６６によって処理されてもよく、変調器９５４ａないし９５４ｒによってさらに処理され、基地局１１０に送信される。基地局１１０において、ＵＥ１２０からのアップリンク信号は、アンテナ９３４によって受け取られ、復調器９３２によって処理され、適用できるならば、ＭＩＭＯ検出器９３６によって検出され、受信プロセッサ９３８によってさらに処理され、ＵＥ１２０によって送られたデータおよび情報を得る。
【００７１】
制御装置／プロセッサ９４０および９８０は、それぞれ、基地局１１０およびＵＥ１２０における動作を指示する。基地局１１０におけるプロセッサ９４０および／または他のプロセッサおよびモジュールは、図５中のプロセス５００および／またはここで記述した技術に対する他のプロセスを実行または指示してもよい。ＵＥ１２０におけるプロセッサ９８０および／または他のプロセッサおよびモジュールは、図７中のプロセス７００および／またはここで記述した技術に対する他のプロセスを実行または指示してもよい。メモリ９４２および９８２は、それぞれ、基地局１１０およびＵＥ１２０に対するデータおよびプログラムコードを記憶する。スケジューラ９４４は、ダウンリンクおよびアップリンク上でのデータ送信に対してＵＥをスケジューリングし、リソース許可をスケジューリングされたＵＥに提供する。
【００７２】
さまざまな異なるテクノロジーおよび技術のうちの任意のものを使用して、情報および信号を表してもよいことを、当業者は理解するだろう。例えば、上記の詳細な説明全体を通して参照した、データ、命令、コマンド、情報、信号、ビット、シンボル、およびチップは、電圧、電流、電磁波、磁気フィールドまたは微粒子、光学フィールドまたは光学微粒子、あるいはこれらの任意の組み合わせによって表されてもよい。
【００７３】
さらに、ここでの開示に関連して記述した、さまざまな例示的な論理ブロック、モジュール、回路およびアルゴリズムステップが、電子ハードウェア、コンピュータソフトウェア、あるいは双方を組み合わせたものとして実現されてもよいことを、当業者はさらに正しく認識するだろう。ハードウェアおよびソフトウェアのこの互換性を明確に図示するために、さまざまな例示的なコンポーネント、ブロック、モジュール、回路およびステップを、一般的に、これらの機能性の観点から上記に記述している。この機能性が、ハードウェアまたはソフトウェアとして実現されるか否かは、システム全体に課せられている特定のアプリケーションおよび設計制約に依存する。熟練者が、それぞれの特定のアプリケーションの方法を変えて、記述した機能性を実現するかもしれないが、このようなインプリメンテーションの決定は、本開示の範囲から逸脱が生じるとして解釈されるべきでない。
【００７４】
ここでの開示に関連して記述した、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは、ここで記述した機能を実行するように設計されているこれらの任意の組み合わせで実現されても、あるいは、実行されてもよい。汎用プロセッサはマイクロプロセッサであってもよいが、代替実施形態では、プロセッサは、何らかの従来のプロセッサ、制御装置、マイクロ制御装置、または状態機械であってもよい。プロセッサはまた、コンピューティングデバイスの組み合わせとして、例えば、ＤＳＰとマイクロプロセッサの組み合わせとして、複数のマイクロプロセッサとして、ＤＳＰコアに関連した１つ以上のマイクロプロセッサとして、あるいは、このような他の何らかの構成として実現されてもよい。
【００７５】
ここでの開示に関連して記述した方法またはアルゴリズムのステップは、ハードウェアで、プロセッサにより実行されるソフトウェアモジュールで、あるいは、２つのものを組み合わせたもので直接的に具体化されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または技術的に知られている記憶媒体の他の何らかの形態で存在していてもよい。プロセッサが記憶媒体から情報を読み取ったり、記憶媒体に情報を書き込んだりできるように、例示的な記憶媒体はプロセッサに結合されている。代替実施形態では、記憶媒体は、プロセッサに不可欠であるかもしれない。プロセッサおよび記憶媒体は、ＡＳＩＣに存在していてもよい。ＡＳＩＣは、ユーザ端末に存在していてもよい。代替実施形態では、プロセッサおよび記憶媒体は、ユーザ端末中にディスクリートコンポーネントとして存在していてもよい。
【００７６】
１つ以上の例示的な設計では、記述した機能は、ハードウェア、ソフトウェア、ファームウェア、またはこれらの任意の組み合わせで実現されてもよい。ソフトウェアで実現された場合、機能は、１つ以上の命令またはコードとしてコンピュータ読み取り可能媒体上に記憶されてもよく、あるいは、１つ以上の命令またはコードとしてコンピュータ読み取り可能媒体上に送信されてもよい。コンピュータ読み取り可能媒体は、１つの場所から別の場所へのコンピュータプログラムの転送を促進する何らかの媒体を含むコンピュータ記憶媒体および通信媒体の双方を含む。記憶媒体は、汎用コンピュータまたは特殊目的コンピュータによってアクセスできる何らかの利用可能な媒体であってもよい。例示によると、このようなコンピュータ読み取り可能な媒体は、ＲＡＭ、ＲＯＭ、ＥＥＰＲＯＭ、ＣＤ−ＲＯＭまたは他の光ディスク記憶デバイス、磁気ディスク記憶デバイスまたは他の情報気記憶デバイス、あるいは命令またはデータ構成の形態で所望のプログラムコード手段を伝送または記憶するために使用でき、汎用または特殊目的コンピュータあるいは汎用または特殊目的プロセッサによってアクセスできる他の何らかの媒体を含んでいてもよいが、これらに限定されない。また、あらゆる接続は、コンピュータ読み取り可能媒体と適切に呼ばれている。例えば、ソフトウェアが、ウェブサイトや、サーバから、あるいは同軸ケーブルや、ファイバ光ケーブル、撚り対、デジタル加入者線（ＤＳＬ）、または赤外線、無線、マイクロ波のようなワイヤレス技術を使用している他の遠隔ソースから送信された場合、同軸ケーブル、ファイバ光ケーブル、撚り対、ＤＳＬ、あるいは赤外線、無線、およびマイクロ波のようなワイヤレス技術は、媒体の定義に含まれる。ここで使用したようなディスク（ｄｉｓｋおよびｄｉｓｃ）は、コンパクトディスク（ＣＤ）、レーザディスク、光ディスク、デジタル汎用ディスク（ＤＶＤ）、フロッピー（登録商標）ディスク、ブルーレイ（登録商標）ディスクを含んでいてもよいが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読み取り可能媒体の範囲内に含められるべきである。
【００７７】
開示の先の説明は、当業者が本開示を作り、または使用できるように提供されている。開示に対するさまざまな修正は、当業者に容易に明らかになるであろう。また、ここで規定されている一般的な原理は、本開示の範囲の精神または範囲を逸脱することなく、他の変形に適用されてもよい。したがって、本開示は、ここに記述した例および設計に限定されることを意図しているものではないが、特許請求の範囲によって規定されている、ここで開示した原理および新規な特徴と矛盾しない最も広範囲に一致させるべきである。
【図１】
2011514718.tif 000003
【図２】
2011514718.tif 000004
【図３Ａ】
2011514718.tif 000005
【図３Ｂ】
2011514718.tif 000006
【図４】
2011514718.tif 000007
【図５】
2011514718.tif 000008
【図６】
2011514718.tif 000009
【図７】
2011514718.tif 000010
【図８】
2011514718.tif 000011
【図９】
2011514718.tif 000012
【国際調査報告】
2011514718.tif 000013
2011514718.tif 000014
2011514718.tif 000015